(57)【要約】【課題】複数のブリッスルを備えたコーム状ブラシの成形方法において、コームの成形不良（ショートモールド）の発生を抑えて、生産性を向上させる。【解決手段】成形すべきブリッスル１１の長さ方向の一端に射出用ゲート１８を備えた成形材料の溜まり部１２を有し、他端に射出用ゲート１８を備えない成形材料の溜まり部１４を有する成形品１７Ａを成形する金型１５Ａを用意し、ゲート１８を備えた溜まり部１２から、他方の溜まり部１４に向けて成形材料を注入し、成形後、金型１５Ａから離型された成形品１７Ａのブリッスル部を、台座となる側の溜まり部１２から、形成されるべきブリッスル１１の長さＬに相当する位置で切断する。【選択図】図５
2010111039.tif 000002
【特許請求の範囲】
【請求項１】
台座に少なくとも一列に突設した複数のブリッスルを有するコーム状ブラシの成形方法であって、
成形すべき前記ブリッスルの長さ方向の一端に射出用ゲートを備えた成形材料の溜まり部を有し、他端に射出用ゲートを備えない成形材料の溜まり部を有する成形品を成形する金型を用意し、
前記ゲートを備えた溜まり部から、他方の溜まり部に向けて成形材料を注入し、
成形後、前記金型から離型された成形品の前記ブリッスル部を、前記台座となる側の前記溜まり部から、形成されるべき前記ブリッスルの長さに相当する位置で切断することを特徴とするコーム状ブラシの成形方法。
【請求項２】
前記切断を、前記他方の溜まり部を前記台座となる溜まり部として行うことを特徴とする請求項１に記載のコーム状ブラシの成形方法。
【請求項３】
前記金型として、複数のゲートを有する前記金型を用意することを特徴とする請求項２に記載のコーム状ブラシの成形方法。
【請求項４】
台座に少なくとも一列に突設した複数のブリッスルを有するコーム状ブラシであって、
前記台座がゲート跡を有さないものであり、
前記ブリッスルが切断により形成された先端を有するものであることを特徴とするコーム状ブラシ。
【請求項５】
前記ブリッスルが、前記台座側から切断側に向けてテ−パを有すること特徴とする請求項４に記載のコーム状ブラシ。
【請求項６】
前記複数のブリッスルが、複数列に配設されたブリッスルであることを特徴とする請求項４または５に記載のコーム状ブラシ。
【発明の詳細な説明】
【技術分野】
【０００１】
本発明は複数のブリッスルを有するコーム状ブラシおよびその射出成形方法に関するものである。
【背景技術】
【０００２】
従来、複数のブリッスルを有するコーム部を備えたブラシの成形方法として、射出成形法が広く用いられている。（特許文献１）
このような成形方法では、複数のブリッスルが配設された台座にゲートを設けて、形成材料を注入し、ブリッスルの先端形状を得ていた。
【特許文献１】特開平１０−１５６２６８
【発明の開示】
【発明が解決しようとする課題】
【０００３】
しかしながら、従来の成形方法では、金型の内圧やブリッスルの形状などの様々な要因から、成形材料がブリッスルの先端にまで充填されないことによる成形不良（ショートモールド）が発生しやすいという問題があった。
【０００４】
本発明は、かかる事情に鑑みてなされたものであり、成形不良の発生を抑止して、生産性を向上させるコーム状ブラシの成形方法およびコーム状ブラシを提供することを目的とするものである。
【課題を解決するための手段】
【０００５】
本発明のコーム状ブラシの成形方法は、台座に少なくとも一列に突設した複数のブリッスルを有するコーム状ブラシの成形方法であって、成形すべきブリッスルの長さ方向の一端に射出用ゲートを備えた成形材料の溜まり部を有し、他端に射出用ゲートを備えない成形材料の溜まり部を有する成形品を成形する金型を用意し、ゲートを備えた溜まり部から、他方の溜まり部に向けて成形材料を注入し、成形後、金型から離型された成形品のブリッスル部を、台座となる側の溜まり部から、形成されるべきブリッスルの長さに相当する位置で切断することを特徴とするものである。
【０００６】
また、本発明のコーム状ブラシの成形方法は、切断を、前記他方の溜まり部を台座となる溜まり部として行うことを特徴とすることが好ましい。
【０００７】
さらに、本発明のコーム状ブラシの成形方法は、金型として、複数のゲートを有する金型を用意してもよい。
【０００８】
本発明のコーム状ブラシは、台座に少なくとも一列に突設した複数のブリッスルを有するコーム状ブラシであって、台座がゲート跡を有さないものであり、ブリッスルが切断により形成された先端を有するものであることを特徴とするものである。
【０００９】
さらに、本発明のコーム状ブラシは、ブリッスルが、台座側から切断側に向けてテ−パを有するものであってもよい。
【００１０】
さらに、本発明のコーム状ブラシは、複数のブリッスルが、複数列に配設されたブリッスルであるものであってもよい。
【発明の効果】
【００１１】
本発明のコーム状ブラシの成形方法によれば、成形すべきブリッスルの長さ方向の一端に射出用ゲートを備えた成形材料の溜まり部を有し、他端に射出用ゲートを備えない成形材料の溜まり部を有する成形品を成形する金型を用意し、ゲートを備えた溜まり部から、他方の溜まり部に向けて成形材料を注入し、成形後、金型から離型された成形品のブリッスル部を、台座となる側の溜まり部から、形成されるべきブリッスルの長さに相当する位置で切断するようにしたので、射出成形の際、ブリッスルからゲートを備えない溜まり部に空気および成形材料の移動が可能となって、金型の内圧が分散され、ブリッスルが形成される部分で圧力が局所的に高まることを避けることができる。このことにより、成形材料がブリッスル先端まで充填されないことによる成形不良の発生を抑止する効果を奏し、生産性を向上させることができる。
【００１２】
また、本発明のコーム状ブラシの成形方法において、切断を、前記他方の溜まり部を台座となる溜まり部として行うことを特徴としたときは、ブリッスルの台座にゲートカット跡のないことにより、ゲート跡の突出や凹みのないきれいな台座を備えたコーム状ブラシを成形することができる。
【００１３】
なお、本発明のコーム状ブラシの成形方法において、金型として、複数のゲートを有する金型を用意したときは、より均等に形成材料を注入できるため、成形不良の発生を抑止する効果を奏し、生産性を向上させることができる。
【発明を実施するための最良の形態】
【００１４】
以下、本発明にかかる第１、第２、第３の実施形態のコーム状ブラシについて図面を参照して詳細に説明する。なお本実施形態ではコーム状ブラシとしてマスカラ塗布具を例にして説明するが、本発明はこれに限られるものではなく、例えば修正液、塗料、絵の具、インキ、糊、粉体化粧料、液状化粧料、薬剤などの塗布剤を塗布する塗布具用塗布先等にも適用することができる。
【００１５】
ここで、図１に本実施形態のマスカラ塗布具の側面断面図、図２に本実施形態のマスカラ塗布具の正面図を示す。図１は、図２のＡ−Ａ’面での側面断面図である。図３に図１へ組み込む前のコーム状ブラシの側面図、図４、６、８、１０はコーム部の金型の分解図、図５，７，９，１１は金型から離型した成形品の側面図を示す。図４、６、８、１０に示す金型は、それぞれ得られるべきキャビティ（成形品空間）と、そのキャビティに連通するゲート１３（注入口）を備えている。
【００１６】
本発明にかかる第1、第２、第３の実施形態のマスカラ塗布具１は、図１に示す如く、コーム部１０と、軸部２０とを備えている。
【００１７】
コーム部１０は、図３に示す如く、ブリッスル長さＬの略円柱状のブリッスル１１が台座となる溜まり部１２に立設されてなる。なお、溜まり部１２は、射出成形法で成形材料を注入する際、成形材料が溜まる部分である。
【００１８】
従来の成形方法では、図１０に示す金型１５Ｄを組み立てた状態で、溶解した成形材料を成形材料流通路１６からゲート１３に注入する。この成形材料が冷却して固化した後、成形品１７Ｄを金型１５Ｄから離型する。その後、図１１に示す如く、成形品１７Ｄから、成形品に形成されたゲート部１８をＣ−Ｃ’断面でゲートカットして溜まり部１２を台座の形状とし、コーム部１０を得ていた。
【００１９】
図４，６，８に示す如く本発明の第１、第２、第３の実施形態の金型１５Ａ，１５Ｂ、１５Ｃは、多数の円柱状のブリッスル１１を離隔して一列に配し、各ブリッスル１１の長さ方向の両端に溜まり部１２と溜まり部１４が連設され、さらに溜まり部１２にゲート部１３（または１３’）が連設された成形品の形のキャビティを有している。
【００２０】
本発明の第１、第２、第３の実施形態の成形品１７Ａ，１７Ｂ，１７Ｃは、第１、第２、第３の実施形態の金型１５Ａ，１５Ｂ，１５Ｃからそれぞれ成形されたものである。したがって、本発明の第１、第２、第３の実施形態の成形品１７Ａ，１７Ｂ，１７Ｃは、図５，７，９に示す如く、多数の円柱状のブリッスル１１を離隔して一列に配し、各ブリッスル１１の長さ方向の両端に溜まり部１２と溜まり部１４が連設され、さらに溜まり部１２にゲート部１８（または１８’）が連設されて、これらの全てが一体的に成形されている。溜まり部１２と溜まり部１４は、射出成形法で成形材料を注入する際、成形材料が溜まる部分である。
【００２１】
図４は、本発明の第１の実施形態の金型１５Ａの金型を分解した図である。図５は、本発明の第１の実施形態の成形品を示す側面図である。
【００２２】
溜まり部１２は本発明の第１の実施形態のコーム状ブラシのコーム部の台座となる部分である。溜まり部１２は、図５に示す如く、鍔部を備えた形状とすることもできるが、これに限られず、単に直方体形状とすることもでき、軸部２０とコーム部１０を嵌着する場合など、適宜適当な形状に変形してもよい。
【００２３】
本発明の第１の実施形態では、図４に示す金型１５Ａを組み立てた状態で、溶解した成形材料を成形材料流通路１６からゲート１３に注入する。この成形材料が冷却して固化した後、成形品１７Ａを金型１５Ａから離型する。その後、図５に示す如く成形品１７Ａについて、ブリッスル長さＬを得られるＢ−Ｂ’断面でブリッスル部を切断することでブリッスル１１の先端形状を得、Ｃ−Ｃ’断面で成形品に形成されたゲート部１８のゲートカットを行うことで溜まり部１２を台座の形状を得て、コーム部１０を得ることができる。
【００２４】
第２の実施形態では、図６に示す金型１５Ｂを組み立てた状態で、溶解した成形材料を成形材料流通路１６から注入する。この成形材料が冷却して固化した後、成形品１７Ｂを金型１５Ｂから離型する。
【００２５】
図７は、本発明の第２の実施形態の成形品１７Ｂを示す側面図である。離型後、成形品１７Ｂについて、図７に示す如くゲートを備えない溜まり部１４を台座として、ゲートを備えない溜まり部１４からブリッスル長さＬを得られるＢ−Ｂ’断面でブリッスル部を切断することでブリッスル１１の先端形状を得て、コーム部１０を得ることができる。ここで、溜まり部１４は、図７に示す如く、鍔部を備えた形状とすることもできるが、これに限られず、単に直方体形状とすることもでき、軸部２０とコーム部１０を嵌着する場合など、適宜適当な形状に変形してもよい。
【００２６】
本発明の第１、第２、第３の実施形態では、ブリッスル１１の長さ方向に、溜まり部１２と溜まり部１４の２つの溜まり部を設けることによって、溶解した成型材料を金型１５Ａ、１５Ｂ，１５Ｃに注入する際、ブリッスル１１からゲートを備えない溜まり部１４に空気および成形材料の移動が可能となっているため、金型の内圧が分散され、ブリッスルが形成される部分で圧力が局所的に高まることを避けることができる。このことにより、成形材料がブリッスル先端まで充填されないことによる成形不良の発生の抑止効果が得られ、生産性を向上させることができる。
【００２７】
また、第２の実施形態では、ゲートを備えない溜まり部１４には、ゲートが設けられていないため、ゲート部１８のゲートカットを行う必要がない。つまり、第２の実施形態では、台座にゲートカット跡がないため、従来の成形方法と比較して、ゲート跡の突出や凹みのないきれいな台座を備えたコーム状ブラシが得られる。
【００２８】
さらに、コーム状ブラシの成形工程において、第1の実施形態では、Ｂ−Ｂ’とＣ−Ｃ’との両方を切断していたため、２回の切断工程が必要であったところ、第２の実施形態では、Ｂ−Ｂ’を切断する1回の切断工程のみでよいため、切断工程の回数を減らすことができ、さらに生産性とコスト削減効果を高めることができる。
【００２９】
第３の実施形態では、図８に示す金型１５Ｃを組み立てた状態で、溶解した成形材料を成形材料流通路１６から注入する。この成形材料が冷却して固化した後、成形品１７Ｃを金型１５Ｃから離型する。図９は、本発明の第３の実施形態の成形品１７Ｃを示す側面図である。
【００３０】
第３の実施形態では、離型後、成形品１７Ｃについて、図９に示す如くゲートを備えない溜まり部１４を台座として、ゲートを備えない溜まり部１４からブリッスル長さＬを得られるＢ−Ｂ’断面でブリッスル部を切断することで、ブリッスル１１の先端形状を得て、コーム部１０を得ることができる。ここで、溜まり部１４は、図９に示す如く、鍔部を備えた形状とすることもできるが、これに限られず、単に直方体形状とすることもでき、軸部２０とコーム部１０を嵌着する場合など、適宜適当な形状に変形してもよい。
【００３１】
図８で示す如く、第３の実施形態では、図５で示した第２の実施形態の金型１５Ｂのゲートを４点ゲート１３’とした形状のコーム状ブラシの金型１５Ｃを使用している。
【００３２】
このように、ゲートを多点ゲート１３’とすることで、単一のゲート１３から成形材料を注入する場合よりも、さらに均一の圧力で成形材料を注入できるため、より成形不良の発生を防止する効果がある。
【００３３】
多点ゲートは、４点ゲートに限られず、複数のゲートを設置することができ、また、ゲートは一列に並べて配置するほかにも、さまざまな配置で設置することができる。
【００３４】
なお、従来、台座部に多点ゲートを設けると、ゲートカットの際、ゲート部の切断箇所が多くなり、さらに、多点ゲートをさまざまな配置に設置した場合、成形品のゲート部が複雑な形状になり切断が容易でない、というような問題があった。しかし、本発明の第２、第３の実施例においては、ゲートカットの必要がないため、同問題は発生しない。
【００３５】
また、第３の実施形態では、第２の実施形態と同じく、ゲートを備えない溜まり部１４には、ゲートが設けられていないため、ゲート部１８のゲートカットを行う必要がない。つまり、第３の実施形態では、台座にゲートカット跡がないため、従来の成形方法と比較して、ゲート跡の突出や凹みのないきれいな台座を備えたコーム状ブラシが得られる。
【００３６】
さらに、第３の実施形態では、コーム状ブラシの成形工程において、第1の実施形態では、Ｂ−Ｂ’とＣ−Ｃ’との両方を切断していたため、２回の切断工程が必要であったところ、第３の実施形態でも、第２の実施形態と同じくＢ−Ｂ’を切断する1回の切断工程のみでよいため、切断工程の回数を減らすことができ、さらに生産性とコスト削減効果を高めることができる。
【００３７】
図１２Ａは、従来の成形方法によるブリッスル１１の先端形状を表す拡大写真であり、図１２Ｂは本発明の成形方法によるブリッスル１１の先端形状を現す拡大写真である。図１２Ａで示すように、従来の成形法では、ブリッスル１１の先端形状は、金型のブリッスルの先端部にエアベント（空気抜きのための穴）が設けられているため、エアベントに樹脂がはみ出すことによる「先端ばり」が発生する場合があった。しかし、第１、第２、第３の実施形態のように、ブリッスル部を切断してブリッスル１１の先端形状を得る場合、図１２Ｂに示す如く「先端ばり」がないため、ブリッスル先端のばりが低減されたよりきれいな先端形状が得られる。
【００３８】
なお、ブリッスルの切断は、切削工具を用いて行っても、レーザー光、ガス、超音波、高圧流体等を用いて行ってもよい。
【００３９】
図１３で示すように、また本実施形態のブリッスル１１は上端から下端まで断面形状が変わらないストレート形状としたが、本発明はこれに限られるものではなく、先鋭形状に形成されたテーパーを有するブリッスル１１’であってもよい。
【００４０】
なお、本実施形態のブリッスル１１は、上述のように断面が円状に形成されたものとしたが、本発明はこれに限られるものではなく、複数のブリッスル１１の配列方向と略直角方向すなわち図１２で示すＸ方向（塗布方向）に幅を持たせてもよいし、角丸形状の断面を有するブリッスルであっても、楕円形状の断面を有するブリッスルであってもよく、ひし形や三角形の断面を有するブリッスルであってもよい。
【００４１】
さらに、ブリッスル１１を、図１３で示すＸ方向に複数列に形成することもできる。
【００４２】
また、本発明の第１、第２、第３の実施形態のマスカラ塗布具は、ブリッスル１１の断面が例えば直径０．２〜０．３ｍｍの円状に形成され、ブリッスル長さＬは短すぎると睫毛に届かなくなり使用性が低下するため、３〜６ｍｍで形成されている。
【００４３】
また、本発明の第１、第２、第３の実施形態のマスカラ塗布具において、軸部２０は、ＰＢＴ（ポリブチレンテレフタレート）、ＰＡ（ポリアミド）、ＰＰ（ポリプロピレン）のいずれか１つを主成分として例えば射出成形等により形成されており、材質は化粧料の成分に応じて適宜選定できる。
【００４４】
また、本発明の第１、第２、第３の実施形態のマスカラ塗布具において、コーム部１０は、マスカラ液が塗布された睫毛に対して、マスカラ液の固まりである、いわゆる「だま」を取ったり、互いにくっついてしまった睫毛を一本一本捌いたりするためのものであり、ポリエステル系の熱可塑性エラストマー（ＴＰＥ：Thermoplastic Elastomer）を主成分として形成されており、射出・押出・ブローなどの成形加工の容易性や耐疲労性、耐薬品性、ゴムとエンプラ両方の特性を有すること等から、具体的には東洋紡績株式会社製ペルプレン（登録商標）Ｐ−２８０Ｂおよび／またはＥ−４５０Ｂを材料として使用できる。
【００４５】
なお、本発明の第１、第２、第３の実施形態のマスカラ塗布具のコーム部１０は、例えばポリアミド系の熱可塑性エラストマーを使用してもよい。具体的にはダイセル・テグサ株式会社製ダイアミドＰＡＥ（登録商標）またはアルケマ−東京材料株式会社製ベバックス（登録商標）等を使用することができる。
【図面の簡単な説明】
【００４６】
【図１】複数のブリッスルを備えたコーム状ブラシの断面側面図
【図２】複数のブリッスルを備えたコーム状ブラシの正面図
【図３】図１のコーム部を表す側面図
【図４】本発明の第１の実施形態のコーム部の金型を表す側面図
【図５】本発明の第１の実施形態のコーム部の成形品を表す側面図
【図６】本発明の第２の実施形態のコーム部の金型を表す側面図
【図７】本発明の第２の実施形態のコーム部の成形品を表す側面図
【図８】本発明の第３の実施形態のコーム部の金型を表す側面図
【図９】本発明の第３の実施形態のコーム部の成形品を表す側面図
【図１０】従来の実施形態のコーム部の金型を表す側面図
【図１１】従来の実施形態のコーム部の成形品を表す側面図
【図１２Ａ】従来の方法で成形されたブリッスル先端を表す一部拡大写真
【図１２Ｂ】本発明の実施形態で成形されたブリッスル先端を表す一部拡大写真
【図１３】コーム部の実施形態の例を示す拡大斜視図
【符号の説明】
【００４７】
１    コーム状ブラシ
１０    コーム部
２０    軸部
１１    ブリッスル
１２    溜まり部
１３    ゲート
１４    溜まり部
１５Ａ  本発明の第１の実施形態の金型
１５Ｂ  本発明の第２の実施形態の金型
１５Ｃ  本発明の第３の実施形態の金型
１５Ｄ  従来の金型
１６    成形材料流通路
１７Ａ  本発明の第１の実施形態の成形品
１７Ｂ  本発明の第２の実施形態の成形品
１７Ｃ  本発明の第３の実施形態の成形品
１７Ｄ  従来の成形品
１８    ゲート部
【図１】
2010111039.tif 000003
【図２】
2010111039.tif 000004
【図３】
2010111039.tif 000005
【図４】
2010111039.tif 000006
【図５】
2010111039.tif 000007
【図６】
2010111039.tif 000008
【図７】
2010111039.tif 000009
【図８】
2010111039.tif 000010
【図９】
2010111039.tif 000011
【図１０】
2010111039.tif 000012
【図１１】
2010111039.tif 000013
【図１３】
2010111039.tif 000014
【図１２Ａ】
2010111039.tif 000015
【図１２Ｂ】
2010111039.tif 000016